Podtech/llm-jp-corpus-v4-ja_patent huggingface dataset:
(57)【要約】
【課題】暑さを凌ぐために通気性の向上を図ったズボン等の衣類を提供する。
【解決手段】適宜箇所に所望形状の窓穴３を形成した衣類本体１と、窓穴３を衣類本体１の外面側から塞ぐ布製の蓋体２とで構成し、蓋体２の一方端部を窓穴３の一方側近傍に固定部材４によって固定し、蓋体２の他方端部に面ファスナー、チャック、ボタン等の掛止具５の片方掛止部５ａを設け、蓋体２を閉じて窓穴３を塞いだ姿勢および開けた姿勢のそれぞれにおいて、衣類本体１の片方掛止部５ａに対応する箇所に、当該片方掛止部５ａに係止する第一他方掛止部５ｂおよび第二他方掛止部５ｃを設ける。
【選択図】      図１
0003101233.tif 000002
【実用新案登録請求の範囲】
【請求項１】
適宜箇所に所望形状の窓穴（３）を形成した衣類本体（１）と、前記窓穴を衣類本体の外面側から塞ぐ布製の蓋体（２）とで構成し、前記蓋体の一方端部を前記窓穴の一方側近傍に固定部材（４）によって固定し，前記蓋体の他方端部に面ファスナー，チャック，ボタン等の掛止具（５）の片方掛止部（５ａ）を設け、前記蓋体を閉じて前記窓穴を塞いだ姿勢および開けた姿勢のそれぞれにおいて，前記衣類本体の前記片方掛止部に対応する箇所に，該片方掛止部に係止する第一他方掛止部（５ｂ）および第二他方掛止部（５ｃ）を設けてなる通気性衣類。
【考案の詳細な説明】
【技術分野】
【０００１】
本考案は、通気性の向上を図ったズボン等の衣類に関するものである。
【背景技術】
【０００２】
一般に、大人は夏期などの暑い時期でも長ズボンを着用する。特に、会社勤めをする者は、真夏の酷暑時でも長ズボンの着用が慣習上義務付けられている。
【考案の開示】
【考案が解決しようとする課題】
【０００３】
この長ズボンに代えて、半ズボンなどの丈の短いズボンを着用することができれば少しでも暑さを凌ぐことができるが、慣習上、そうすることは難しい。
【０００４】
本考案はこうした点に鑑み創案されたもので、暑さを凌ぐために通気性の向上を図ったズボン等の衣類を提供することを課題とする。
【課題を解決するための手段】
【０００５】
図１乃至図３を参照して説明する。本考案に係る通気性衣類は、適宜箇所に所望形状の窓穴３を形成した衣類本体１と、前記窓穴３を衣類本体１の外面側から塞ぐ布製の蓋体２とで構成し、前記蓋体２の一方端部を前記窓穴３の一方側近傍に固定部材４によって固定し、前記蓋体２の他方端部に面ファスナー、チャック、ボタン等の掛止具５の片方掛止部５ａを設け、前記蓋体２を閉じて前記窓穴３を塞いだ姿勢および開けた姿勢のそれぞれにおいて、前記衣類本体１の前記片方掛止部５ａに対応する箇所に、当該片方掛止部５ａに係止する第一他方掛止部５ｂおよび第二他方掛止部５ｃを設けてなるものである。
【考案の効果】
【０００６】
本考案に係る通気性衣類は、窓穴３を形成した衣類本体１と、それを外面側から塞ぐ布製の蓋体２とで構成し、蓋体２の一方端部を窓穴３の一方側近傍に固定部材４で固定し、蓋体２の他方端部に掛止具５の片方掛止部５ａを設け、さらに、蓋体２を閉じて窓穴３を塞いだ姿勢および開けた姿勢のそれぞれにおいて、衣類本体１の片方掛止部５ａに対応する箇所に、当該片方掛止部５ａに係止する第一他方掛止部５ｂおよび第二他方掛止部５ｃを設けているので、必要に応じて蓋体２を開けて通気性を高めることができる。
【０００７】
すなわち、通常時においては、蓋体２の片方掛止部５ａを衣類本体１の第一他方掛止部５ｂに掛止させて窓穴３を塞ぐ。そして、夏期などにおいて衣類本体１の通気性を高めたい場合は、蓋体２を固定部材４を中心として裏返すように開け、その片方掛止部５ａを衣類本体１の第二他方掛止部５ｃに掛止する。これにより、窓穴３は開放され、通気性が向上する。
【０００８】
また、この考案に係る通気性衣類は、チャイナドレスのように窓穴３を通して肌が見えるようにすることも出来るため、新感覚のデザインであり、ファッション性に優れている。
【考案を実施するための最良の形態】
【０００９】
本考案に係る通気性衣類の実施形態を、図１乃至図３に示す。この通気性衣類は長ズボンであり、前側と後側の膝上部分にそれぞれ異なる形状の窓穴３を形成した衣類本体１と、この窓穴３を外面側から塞ぐ布製の蓋体２とで構成されている。そして、蓋体２の一方端部を、窓穴３の一方側近傍に糸（固定部材４）によって縫い付けて固定し、当該蓋体２の他方端部に掛止具５の片方掛止部５ａを設けている。
【００１０】
掛止具５とは、面ファスナー、チャック、ボタンなどであり、片方掛止部５ａとは、ループとフックで構成される面ファスナーであれば、その内の一方であり、ボタン本体とそれが挿通する孔部で構成されるボタンであれば、その内の一方である。
【００１１】
さらに、この通気性衣類は、蓋体２を閉じて窓穴３を塞いだ姿勢および開けた姿勢のそれぞれにおいて、衣類本体１の片方掛止部５ａに対応する箇所に、当該片方掛止部５ａに係止する第一他方掛止部５ｂおよび第二他方掛止部５ｃを設けている。本実施形態では、蓋体２を閉じた際に対応する箇所に第一他方掛止部５ｂを設け、開けた際に対応する箇所に第二他方掛止部５ｃを設けている。
【００１２】
なお、蓋体２は、衣類本体１と同一の生地を使用して統一感を図っても良いし、異なる色や材質の生地を使用して装飾感を現出させても良い。固定部材４と掛止具５の設置数は限定されない。
【００１３】
また、掛止具５としてボタンを使用し、片方掛止部５ａとして孔部を形成する場合には、当該片方掛止部５ａは第一他方掛止部（ボタン本体）５ｂおよび第二他方掛止部（ボタン本体）５ｃと掛止させることができるが、例えば、掛止具５として面ファスナーを使用する場合には、蓋体２の表裏両面のそれぞれに片方掛止部（ループまたはフック）５ａを設ける必要がある。
【００１４】
本実施形態における通気性衣類において、気温が高くない場合には、蓋体２の片方掛止部５ａを衣類本体１の第一他方掛止部５ｂに掛止させて窓穴３を塞いでおく（図３（ａ）参照）。そして、気温が高い場合などにおいては、片方掛止部５ａと第一他方掛止部５ｂの掛止を解除して蓋体２を開け、そのまま裏返すようにして片方掛止部５ａを第二他方掛止部５ｃに掛止する（図３（ｂ））。これにより、蓋体２は開けた姿勢に維持されて、窓穴３は開放され、衣類の通気性が向上する。
【産業上の利用可能性】
【００１５】
本考案は、ズボンのみでなく、上着やその他の衣類にも同様に適用することができる。
【図面の簡単な説明】
【００１６】
【図１】本考案に係る通気性衣類の実施形態を示す正面図である。
【図２】図１に示す通気性衣類の背面図である。
【図３】図１に示す通気性衣類において、蓋体の開閉姿勢を示すもので、（ａ）は蓋体を閉じた姿勢、（ｂ）は開けた姿勢を示す背面図である。
【符号の説明】
【００１７】
１      衣類本体
２      蓋体
３      窓穴
４      固定部材
５      掛止具
５ａ    片方掛止部
５ｂ    第一他方掛止部
５ｃ    第二他方掛止部
【図１】
0003101233.tif 000003
【図２】
0003101233.tif 000004
【図３】
0003101233.tif 000005
(57)【要約】
【課題】従来の繊維浮きは一方のみ束ねたフレアー状で空気の抵抗を受けて投げにくいため、数多の羊毛繊維の両端を束ねて樽状を成す繊維浮きを形成することにより、空気抵抗を小さくして投げやすく、かつアタリが分かりやすい繊維浮きを提供する。
【解決手段】染色した羊毛またはヤーンと称される細い化学繊維などによる、一定の量の繊維塊２に櫛を入れて整えた両サイドを糸３で縛って、端部に二つの結束部を有する略楕円状を成す浮き体４を形成し、その浮き体４の一方端部に、釣り糸に取り付ける連結輪５を取り付けた繊維浮き１を構成する。
【選択図】図１
0003101231.tif 000002
【実用新案登録請求の範囲】
【請求項１】
一定量の細い繊維塊の両端部を結束して略楕円状を成す浮き体を形成し、該浮き体の一方の結束部に小さな連結輪を取り付けた構成を特徴とする釣り用の繊維浮き。
【請求項２】
上記する繊維塊の素材が、羊毛繊維により形成される請求項１に記載の釣り用の繊維浮き。
【請求項３】
上記する浮き体の形状が略楕円状を成す請求項１又は請求項２に記載の釣り用の繊維浮き。
【考案の詳細な説明】
【技術分野】
【０００１】  本考案は、毛鈎を用いたフライフイッシングの際に用いる浮きを、繊維のみによって形成した使い易く効果的な繊維浮きに関する。
【背景技術】
【０００２】  従来、釣りに用いられる浮きは形も素材も様々な形態の浮きがあり、それぞれ目的や用途によって使い別けている。まず毛鈎釣りに使うフライフイッシング用の浮きとしては、素材がプラスチックや発泡スチロール素材により成形した略楕円状や菱形状、棒状の形の浮きの他に多種多様な形態の浮きが提供され、さらに図４に示すように細い繊維塊の一方を糸で縛ってフレアー状を成す繊維浮きも提供されている。
【考案の開示】
【考案が解決しようとする課題】
【０００３】  上記するように素材も形も様々な浮きがあるが、いずれもそれぞれ一定の長所や効果はある。しかしプラスチック成形による浮きは一般に重いのでポイントに投げにくく、また発泡スチロール成形による浮きは軽いが割れたり欠損することも多いので耐久性はないなどの不便や欠点がある。他方、図４に示すような細い繊維の塊の一方を縛ったフレアー状の浮きは以下のような不便や使いにくさがあった。【０００４】  まず、この繊維浮きは繊維の塊の一方を縛ったものであるため、他方の繊維はフレアー状に広がるように形成されるので、釣りの際にポイントにキャステイングする場合は空気抵抗が大きくなるためかなり慣れた者でないとポイントに上手く投げられない。またフレアー状に広がっているので水面に接する部分の浮きの角度調整がしにくく、さらに水面に浮かせた場合は浮力が持続しにくいなど構造的な点における不便や欠点がある。
【課題を解決するための手段】
【０００５】  本考案は、上記する以上のような不便や欠点を解消した繊維浮きを提供するものであり、請求項１においては、細い繊維の塊に櫛を入れて整えた両端部を糸で縛って略楕円状を成す浮き体を形成し、その浮き体における一方の結束部に小さな連結輪を取り付けた構成を特徴とする釣り用の繊維浮きとする。【０００６】  請求項２においては、上記する浮き体を形成する繊維素材が、羊毛の繊維を採用した繊維浮きを形成する。【０００７】  請求項３においては、上記する浮きの形状が略楕円状を成す繊維浮きとする。
【考案の効果】
【０００８】  本考案の浮き体は、一定の量の羊毛繊維の塊に櫛を入れて整えた両端部を縛った一方の結束部に、釣り糸を結び付ける連結輪を取り付けた略楕円状を成す繊維浮きを構成するので、キャスティングした場合は図３に示すように空気抵抗を最小限に小さくできるため、熟練者でなくても狙ったポイントに正確に投げ易くなる。【０００９】  加えて、浮き体は繊維のみで略楕円状を成すので、水面に浮かべた際はフレアー状に広がったタイプに比べて浮力が持続することはもとより、水面に接する部分の角度が取り易いため、釣り糸がどこを流れているかの確認や魚が掛かった時に浮きが水中に引き込まれる際のアタリが取りやすい浮きである。また繊維浮きのみでも浮力は十分にあるが、使用する際に浮力剤を塗布するとさらに浮力の持続性が得られる。
【考案を実施するための最良の形態】
【００１０】  一定の量の羊毛繊維に櫛を入れて整えた繊維体の両サイドを縛った浮き体の一方端部に、釣り糸を結び付ける小さな連結輪を設けた略楕円状を成す繊維浮きを形成する。
【実施例】
【００１１】  本考案の繊維浮きを図１に示す斜視図と図２に示す連結輪部分を示す拡大斜視図及び図３のキャスティング時を示す参考図を参照して説明する。【００１２】  この考案における繊維浮き１を形成する素材は、染色した羊毛またはヤーンと称される細い化学繊維などによる、一定の量の繊維塊２に櫛を入れて整えた両サイドを糸３で縛って、端部に二つの結束部を有する略楕円状を成す浮き体４を形成し、その浮き体４の一方端部に釣り糸に取り付ける連結輪５を取り付けた繊維浮き１を構成する。【００１３】  以上のような繊維浮き１を形成するが、その製作方法の概略を示すと、まず、羊毛などの細い繊維をオレンジ色なのど目立つ色に染色した一定の量の繊維塊２の一方を治具で挟んでから櫛を入れて整え、その繊維塊２の一方端部を３ｍｍていど正方形にカットしてからさらに櫛を入れてなじませる。次に繊維塊２の先端を治具の輪に通してからゴム素材による小さな連結輪５を、前記するカットした端部寄りに位置してか繊維塊２を折り返して連結輪５の根元部位を糸３で縛って結束する。さらに他方側は、前記した連結輪５を治具に引っ掛けてから繊維塊２を櫛で再び整えた後に約１０〜１５ｍｍていどの部分を、前記同様に糸３で縛って余分な繊維をカットすると、中ほどは繊維の弾性で膨らんだ略楕円状の浮き体４を形成した繊維浮き１となる。
【産業上の利用可能性】
【００１４】  この浮きは毛鈎を使用するフライフイッシングを対象とする浮きであるが、一般の生き餌を用いる釣りにおいても適用できる。
【図面の簡単な説明】
【００１５】
【図１】  本考案の繊維浮きを示す斜視図である。
【図２】  繊維浮きの連結輪部分を示す拡大斜視図である。
【図３】  繊維浮きのキャステイング状態を示す参考図である。
【図４】  従来の繊維浮きを示す参考図である。
【符号の説明】
【００１６】  １  繊維浮き
２  繊維塊
３  糸
４  浮き体
５  連結輪
【図１】
0003101231.tif 000003
【図２】
0003101231.tif 000004
【図３】
0003101231.tif 000005
【図４】
0003101231.tif 000006
(57)【要約】      （修正有）【課題】置物の製品として、それ以上の付加価値を提供すること。【解決手段】既存の達磨にマイナスイオンを出す物質を入れた光触媒をコンプレッサーを使用し吹きつけ加工した製品。太陽光、蛍光灯の光に当たると、空気中の汚れや細菌を分解し空気を洗浄の作用をしリラクゼーションの効果も実現される。室内・車内のインテリアなどの用途にも適用できる。【選択図】図１
0003101265.tif 000002
【実用新案登録請求の範囲】
【請求項１】
置物の表面にマイナスイオン出す物質を入れた光触媒剤をコーティングしたことを特徴とする製品。
【考案の詳細な説明】
【技術分野】
【０００１】  本考案は、置物を置くことによって快適空間を作り自律神経の安定を図る。
【背景技術】
【０００２】  達磨の置物は幅広く縁起物として、又願いを込める製品であり、色、模様を変えた製品は
見受けられた。
【考案の開示】
【考案が解決しようとする課題】
【０００３】  置物の製品として、それ以上の付加価値を提供すること。
【課題を解決するための手段】
【０００４】  本考案は、達磨の表面にマイナスイオン出す物質を入れた光触媒剤をコーティングしたことを
特徴とする（請求項１）。
【考案の効果】
【０００５】  本考案の達磨は、マイナスイオンを出す物質を入れた光触媒剤をコーティングしたことによって
光触媒物質の持つ作用により、有害物質および悪臭を分解、除去することができ、マイナスイオン
によりリラクゼーションの効果の利点もある。
【考案を実施するための最良の形態】
【０００６】  太陽光、蛍光灯の光に当たると、空気中の汚れや細菌を分解し空気を洗浄の作用をしリラクゼーションの効果も実現される。
【実施例１】
【０００７】  マイナスイオンを出す物質の入った光触媒剤
光触媒製品協議会の品質と安全に関する自主規格品を使用しコンプレッサーにより吹き付け加工製品。
【産業上の利用可能性】
【０００８】  コーティング加工された達磨を室内・車内のインテリアなどの用途にも適用できる。
【図面の簡単な説明】
【０００９】
【図１】本考案による実施を示した説明図である。（実施例１）
【符号の説明】
【００１０】  １  部材
２  表面
３  マイナスイオン発生物質を配合した光触媒剤
【図１】
0003101265.tif 000003
(57)【要約】      （修正有）【課題】雨上がりに使わない傘を持って自転車に乗る時、または、備え傘として一時的あるいは常時自転車に保管携行でき、器具の操作が簡便かつ安全で更に安価に製作できる、自転車のハンドルに掛けた傘を固定する器具を提供する。【解決手段】自転車の前輪フォーク２の発電機用アーム１部付け根に、傘８の先端を通す輪３と一体化した基体４を、固定バンドで固定し、雨上がり等で傘を使わない時、傘先を輪に通し、その傘のフック状の柄９をハンドルに引っ掛ければ、傘のぶらつきや前輪フォークに巻き込まれることを防止しでき、安全に自転車に乗ることができる。又、基体は製造過程において成形加工が単一工程で済むため制作費が安価であり、自転車に取り付ける場合においても特別な工具を要しない。【選択図】図１
0003101264.tif 000002
【実用新案登録請求の範囲】
【請求項１】
バネの特性を有する金属素材でＣ字型形状をした傘先が通る輪（３）と、その輪が９０度間隔で３段階に可変かつ固定可能な溝を有したＣ字型輪の両端軸受け部とバンド通し部を有する構造に、成型加工した合成樹脂等素材からなる基体（４）とを軸受け部で結合させ、自転車の前輪フォークにバンド等で固定すれば、傘先をその輪に通し、傘の柄をハンドルに引っ掛けることで、傘が固定できることを特徴とした自転車のハンドルに掛けた傘を固定する装置。
【請求項２】
請求項１記載の基体の形状のうち、輪の軸受け部付近の構造が、双こぶ型（図２）または、かまぼこ型（図３）あるいは平型（図４）の形状を成し、自転車ボディ色を考慮した複数の基体色からなることを特徴とした自転車のハンドルにかけた傘を固定する装置。
【考案の詳細な説明】
【考案の詳細な説明】
【技術分野】
【０００１】  本発明は自転車のハンドルにぶら下げた傘先を、保持する事により傘のぶらつきを無くして自転車の安全走行を確保することに関するものである。
【背景技術】
【０００２】  従来、雨の降らないときに傘を持って自転車に乗るときは、バンドルを握る反対側の手で持つか、あるいは先行する技術のうち筒状の傘収納ホルダー等を使用して解決していた。
【考案が解決しようとする課題】
【０００３】  しかし、従来の技術の製品は自転車本体価格に比べ割高な為なかなか普及しないものの、自転車に乗るとき傘が邪魔なうえ危険であるため従来の技術より更に簡単な構造と安価に提供できることを課題とした。
【課題を解決する為の手段】
【０００４】  金属等素材からなる傘先を通す輪と、自転車前輪軸にバンドで固定できる構造に成型加工した合成樹脂等素材からなる基体とを結合させ、それを自転車前輪フォークに固定バンドで締め付けて固定し、傘先をその輪の中に通し傘の柄をハンドルに引っ掛けると傘が固定でき、自転車の運転が安全である。
【考案を実施するための最良の形態】
【０００５】  以下、本考案の実施形態を実施例にもとづき図面を参照にして説明する。
図１は本考案の自転車のハンドルに掛けた傘（８）を固定する器具を、自転車の前輪フォーク（２）の発電機取り付けアーム（１）のつけ根を挟んで取り付け、傘先を輪（３）に通しハンドルに傘の柄（９）を掛ける実施例である。【０００６】  図２はＣ字型形状輪（３）の両端を基体（４）の両側面にある輪の軸受穴（６）に入れセットした図である。（６）から出ているＴ字の形状になった輪保持用溝（１０）３個のいずれかの位置で（３）は固定できる。図２はＴ字の真ん中の溝で固定した一例であり、傘をハンドルにぶら下げて保持する時の状態である。【０００７】  図２の基体（４）は、前輪フォーク（２）に固定するための、取外し不可の固定用バンド（７）を通す穴（５）と、固定バンド埋没溝（１３）と、前述の軸受け部の構造で成型加工され、かまぼこ型（１２）をなす。素材は過酷な気象条件に耐えうる合成樹脂等で、色は自転車ボディ色を考慮した複数の色揃えとする。【０００８】  図３は双こぶ形軸受（１１）タイプの基体（４）に固定用バンド（７）をセットし、傘先を通す輪（３）を折畳んだ実施例である。これは傘を収納しないとき、上下任意の位置で保持すれば突起物とならず走行時邪魔にならない。【０００９】  図４は平型軸受けタイプの図であるが、その機能等は前述と同様である。
【考案の効果】
【００１０】  以上記載の通り前輪フォーク（２）に対し、直角に輪（３）を起こし保持し、傘先を差し込み、傘の柄をハンドルに掛ければ、傘が固定され自転車の安全運転が確保される。また、これを使用しないときは、上下いずれか９０度に輪（３）を折畳めば、これ自体が突起物とならず危険を誘発しないよう安全面も考慮した。
尚、市販している小型の鎖状になった鍵等でハンドルと傘の柄を一体化して巻きつければ傘を引き離すことができず盗難防止対策となる。
【図面の簡単な説明】
【図１】本装置を前輪フォークの発電機アームの付け根部に装着した斜視図である。
【図２】傘先通し輪を起こした状態で保持した、かまぼこ型基体の斜視図である。
【図３】傘先通し輪を折畳んだ状態で保持した、双こぶ型基体の斜視図である。
【図４】傘先通し輪と一体化していない平型基体のみの斜視図である。
【符号の説明】
１    発電機取り付用アーム
２    前輪フォーク
３    傘先を通す輪
４    基体
５    固定用バンド通し穴
６    輪の軸受け穴
７    取り外し不可の固定用バンド
８    折畳んだ傘
９    傘の柄
１０  輪保持用溝
１１  こぶ型軸受け
１２  かまぼこ型軸受け
１３  固定バンド埋没溝
【図１】
0003101264.tif 000003
【図２】
0003101264.tif 000004
【図３】
0003101264.tif 000005
【図４】
0003101264.tif 000006
(57)【要約】      （修正有）【課題】工事費を節減でき、かつ柱、壁等の家屋の強度の低減を防止できるパイプ複合型情報複合ケ−ブルの提供。【解決手段】この考案のパイプ複合型情報複合ケ−ブルは、ポリエチレン又高密度ポリエチレンに脂肪酸アミド系滑材を配合し、摩擦係数を低減してなる光ファイバ増設用パイプ１と同軸ケ−ブル２、ＬＡＮケ−ブル３、電話ケ−ブル４などの情報ケ−ブルとを、一括してシ−ス５で被覆又は一括してバインド線でラッシングして複合しており、工事費の節減や家屋の強度低下の防止に効を奏する。【選択図】図１
0003101269.tif 000002
【実用新案登録請求の範囲】
【請求項１】
ポリエチレン又は高密度ポリエチレンに脂肪酸アミド系滑材を配合し、摩擦係数を低減してなる光ファイバ増設用パイプと情報ケ−ブルとを複合してなることを特徴とするパイプ複合型情報複合ケ−ブル
【考案の詳細な説明】
【技術分野】
【０００１】
この考案はパイプ複合型情報複合ケ−ブルに関するものである。
【背景技術】
【０００２】
従来、家庭用情報配線は、同軸ケ−ブル、ＬＡＮケ−ブル、電話ケ−ブル（以下総称して情報ケ−ブルと略称する。）を個別に配線しており、配線量が多いため、配線工事に工数がかかるという問題点があった。
【０００３】
また、新規に光ファイバケ−ブルを引き込むときには、別途配管を準備する必要があり、例えば、ある社では２２ｍｍ以上のＣＤ管、別の社では２８ｍｍ以上のＣＤ管を推奨しており、配管が太いため次のような問題点があった。
【０００４】
（１）壁の厚さを厚くしなければならないので、材料費や工事費が上がる。
（２）既設のままでは、柱や壁の強度が低減する。
（３）配管をしない場合には、露出配線で伝送装置まで光ケ−ブルを配線ければならない。
【０００５】
【特許文献１】特開２０００−７６９４１号公報
【特許文献２】特開２００３−１２１７１５号公報
【考案の開示】
【考案が解決しようとする課題】
【０００６】
この考案は背景技術で記述した問題点を解消するためになされたもので、工事費を節減でき、かつ柱、壁等の家屋の強度の低減を防止できるパイプ複合型情報複合ケ−ブルの提供を目的とするものである。
【課題を解決するための手段】
【０００７】
この考案のパイプ複合型情報複合ケ−ブルは、ポリエチレン又は高密度ポリエチレンに脂肪酸アミド系滑材を配合し、摩擦係数を低減してなる光ファイバ増設用パイプと同軸ケ−ブル、ＬＡＮケ−ブル、電話ケ−ブルなどの情報ケ−ブルとを複合してなることを特徴とするものである。
【考案の効果】
【０００８】
この考案は上述のように構成されているので、次のような効果を呈する。
（１）光ファイバケ−ブル用配管、同軸ケ−ブル、ＬＡＮケ−ブル、電話ケ−ブルなどの各情報ケ−ブルの個別配線工事が不要になるので、工事費を節減できる。
（２）光ファイバ増設用パイプは、脂肪酸アミド系滑材を配合しており、滑りがよいので、パイプ径を小さくすることができる。
（３）したがって、複合ケ−ブル径が小さくなるので、複合ケ−ブルを引き込むための壁部の貫通穴を小さくできるため、家屋の強度の低下を防止できる。
【考案を実施するための最良の形態】
【０００９】
工事費を節減でき、かつ柱、壁等の家屋の強度の低減を防止するという目的を、高密度ポリエチレンに脂肪酸アミド系滑材を配合し、摩擦係数を低減してなる光ファイバ増設用パイプと情報ケ−ブルとを複合することによって実現した。
【実施例】
【００１０】
この考案の実施の一例を図面を参照しながら説明する。図１〜図２に示すように、ポリエチレン又は高密度ポリエチレンに脂肪酸アミド系滑材を配合し、摩擦係数を低減してなる光ファイバ増設用パイプ１と情報ケ−ブルとして、同軸ケ−ブル２、ＬＡＮケ−ブル３、電話ケ−ブル４を複合して構成している。
【００１１】
図１（１）は、摩擦係数を低減してなる光ファイバ増設用パイプ１と同軸ケ−ブル２，ＬＡＮケ−ブル３及び電話ケ−ブル４を、一括してＰＶＣ、ポリエチレン等のシ−ス５で被覆した複合ケ−ブルの実施例を示し、図１（２）は、摩擦係数を低減してなる光ファイバ増設用パイプ１と一個の同軸ケ−ブル２，二個のＬＡＮケ−ブル３を一括してＰＶＣ、ポリエチレン等のシ−ス５で被覆した複合ケ−ブルの実施例を示している。
【００１２】
図１（３）は、摩擦係数を低減してなる光ファイバ増設用パイプ１と二個の同軸ケ−ブル２，一個のＬＡＮケ−ブル３を一括してＰＶＣ、ポリエチレン等のシ−ス５で被覆した複合ケ−ブルの実施例を示している。
【００１３】
図１（４）は、摩擦係数を低減してなる光ファイバ増設用パイプ１と一個のＬＡＮケ−ブル３と一個の電話ケ−ブル４を一括してＰＶＣ、ポリエチレン等のシ−ス５で被覆した複合ケ−ブルの実施例を示している。
【００１４】
図１（５）は、摩擦係数を低減してなる光ファイバ増設用パイプ１と一個の電話ケ−ブル４を一括してＰＶＣ、ポリエチレン等のシ−ス５で被覆した複合ケ−ブルの実施例を示している。
【００１５】
図２（１）は、摩擦係数を低減してなる光ファイバ増設用パイプ１と同軸ケ−ブル２，ＬＡＮケ−ブル３及び電話ケ−ブル４を、銅線、鋼線等の上にＰＶＣ、ポリエチレン等を被覆したバインド線６で、一括してラッシングした複合ケ−ブルの実施例を示している。
【００１６】
図２（２）は、摩擦係数を低減してなる光ファイバ増設用パイプ１と一個の同軸ケ−ブル２，二個のＬＡＮケ−ブル３を、銅線、鋼線等の上にＰＶＣ、ポリエチレン等を被覆したバインド線６で、一括してラッシングした複合ケ−ブルの実施例を示している。
【００１７】
図２（３）は、摩擦係数を低減してなる光ファイバ増設用パイプ１と二個の同軸ケ−ブル２，一個のＬＡＮケ−ブル３を、銅線、鋼線等の上にＰＶＣ、ポリエチレン等を被覆したバインド線６で、一括してラッシングした複合ケ−ブルの実施例を示している。
【００１８】
図２（４）は、摩擦係数を低減してなる光ファイバ増設用パイプ１と一個のＬＡＮケ−ブル３と一個の電話ケ−ブル４を、銅線、鋼線等の上にＰＶＣ、ポリエチレン等を被覆したバインド線６で、一括してラッシングした複合ケ−ブルの実施例を示している。
【産業上の利用可能性】
【００１９】
将来の情報サ−ビスの高速化、多様化に対応するために、光ケ−ブルの配線が必要と予想される家屋の設計、建築工事において、利用の可能性がある。
【図面の簡単な説明】
【００２０】
【図１】考案の一実施例を示す断面図
【図２】考案の一実施例を示す断面図
【符号の説明】
【００２１】
１ 摩擦係数を低減してなる光ファイバ増設用パイプ
２ 同軸ケ−ブル
３ ＬＡＮケ−ブル
４ 電話ケ−ブル
５ シ−ス
６ 銅線、鋼線等の上にＰＶＣ、ポリエチレン等を被覆したバインド線
【図１】
0003101269.tif 000003
【図２】
0003101269.tif 000004
(57)【要約】
【目的】  千変万化してくる投球に対応したバッティング練習用具と、このセッティングがどこでも簡単正確に行え、且つ分解・縮小して収納や携帯に便利にする。
【構成】  ホームベース（１）のサイドにジョイント金具（２）を介してバッターボックス構成ロープ体（３）を定置し、該ホームベース（１）の三箇所に小突起部（４）を設け、これを利用してＨ状支柱（５）を差し込んで立設し、且つその何れか一方にボール載置用支柱（６）を差し込むと共に、その頂部にボール（７）を載せてなるバッティング練習用具セット。
【選択図】  図１
0003101250.tif 000002
【実用新案登録請求の範囲】
【請求項１】
ホームベース（１）のサイドに規定の間隔を有するジョイント金具（２）を介して、バッターボックス構成ロープ体（３）を定置し、該ホームベース（１）の三箇所に小突起部（４）を設け、このうち二箇所を利用してＨ状支柱（５）を差し込んで立設し、且つその何れか一方にボール載置用支柱（６）を差し込むと共に、その頂上にボール（７）を載せてなるバッティング練習用具セット。
【考案の詳細な説明】
【考案の詳細な説明】
【技術分野】
【０００１】  本考案は、野球バッティング練習における便利にして有効な練習用具セットである。
【背景技術】
【０００２】  従来、直立した棒体の頂部に野球用ボールを載せ、これをバットで打撃する簡易なバッティング練習用具などがある。
【考案が解決しようとする課題】
【０００３】  しかし上述の用具は、ただ単に一定のボールをバットで打撃するのみであるから、千変万化する投球に対しての練習には単純すぎてあまり役に立たない。
即ち、投球されてくるボールの高さや方向や位置は一定ではなく、低いボールや高いボールがあり、インコースやアウトコースやストライクコースなど多種多様である。また、バッターボックスに立つ打者の足の位置も千差万別である。ホームベースに近目の位置を好む人もいるし、遠目の位置を得意とする人もいる。
【課題を解決するための手段】
【０００４】  そこで本考案は、ホームベースとバッターボックスを基本構成としたバッティング練習用具セットとしたもので、僅かの空き地と防護ネットを張ることができれば、どこでも簡単にバッティンク練習ができるものである。
【０００５】  先ず、ホームベース（１）を地面上に置き、このサイドに規定の間隔を有するジョイント金具（２）を介してバッターボックス構成ロープ体（３）を定置する。即ち、通常のホームベースとバッターボックスが即席できる。
次いで、該ベース（１）の三箇所に小突起部（４）を設け、この二箇所を利用してＨ状支柱（５）を差し込んで立設する。更に、この何れか一方にボール載置用支柱（６）を差し込むと共に、その頂部にボールを載せてなる。
【考案の実施の形態・実施例】
【０００６】  打者は、上記バッターボックス構成ロープ体（３）の中へ入り、好みの場所に両足を置き、前記のボール（７）をバットで打撃することができる。一回ごとにボールを追加載置すれば連続的にバッティング練習ができるし、防護ネットさえ張ってあれば僅かな空き地や広場でも安全且つ能率的に実施できる。
【０００７】  また、前記のＨ状支柱（５）は、図２に示す位置に差し替えることができ、インコース・ボールのバッティングが行える。図３に示す位置に差し替えればストライク・ボールのバッティングが行える。
【０００８】  なお、前記バッターボックス構成ロープ体（３）のコーナー部四箇所には、直角状のロープ固定用金具（８）が備えられているので、その敷設が簡単且つ正確に行える。
更に、前記Ｈ状支柱（５）の上に差し込むボール載置用支柱（６）は、長・短２〜３種類の高さ調節棒（１０）を用意しておき、これを適宜に交換差し替えることによって、そのボールの高さを任意に設定することができる。
【０００９】  また練習修了後には、前述のＨ状支柱（５）とボール載置用支柱（６）とジョイント金具（２）を抜き外し、且つバッターボックス構成ロープ体（３）を巻きまとめると共に、ホームベース（１）を蝶番（９）部分にて折り畳めば、全てのパーツが縮小される。
従って、これら全てを小型携帯ケースなどにコンパクトに収納できるから、その持ち運びが簡単、容易であり、更に便利重宝な野球バッティング練習用具セットとなる。
【考案の効果】
【００１０】  ボール載置用支柱（６）の頂部に載せたボール（７）をバットで打撃する場合、該ボール（７）の位置をインコース、アウトコース、ストライクコースに自由自在に設定することができ、且つ高さ調節棒（１０）を交換することによって、その高さも自在に調節することができると共に、バッターボックス構成ロープ体（３）によって、打者のボックス内における両足のスタンスのとり方も把握できる。従って、千変万化してくる投球に対応したバッティング練習が行える。また、コンパクトに分解、縮小して小型携帯ケースに収納できるので、持ち運びにも便利重宝な有益考案を提供するものである。
【図面の簡単な説明】
【図１】    本考案の実施状態を示す斜視図
【図２】    本考案の他の実施状態を示す要部斜視図
【図３】    本考案の他の実施状態を示す要部斜視図
【符号の説明】
１    ホームベース
２    ジョイント金具
３    バッターボックス構成ロープ体
４    小突起部
５    Ｈ状支柱
６    ボール載置用支柱
７    ボール
８    ロープ固定用金具
９    蝶番
１０    高さ調節棒
【図１】
0003101250.tif 000003
【図２】
0003101250.tif 000004
【図３】
0003101250.tif 000005
(57)【要約】      （修正有）【課題】バックして止める時，ブレーキとアクセルを踏み違いても，事故を起さないようにする。【解決手段】アクセルペタルと床の間に，バック事故防止装置１を取り付けシフトレバーをバックＲに入れると，ストッパー２が起きて，アクセルペタルの踏み込みを制限して，急発進を抑えるようにした。【選択図】図１
0003101246.tif 000002
【実用新案登録請求の範囲】
【請求項１】
アクセルペタル１２と床の間に，バック事故防止装置１を取り付け，シフトレバー１１をバックＲに入れると，ストッパー２が起きて，アクセルペタルの踏み込みを制限する装置。
【考案の詳細な説明】
【考案が解決しようとする課題】
【０００１】オートマチック車をバックさせて止める時，ブレーキとアクセルのペタルを間違えることがある，それは体をひねって後方を見ている為ペタルの確認ができず，また，どちらかのペタルから瞬間，足が離れた時，万に一つの割合でペタルの踏み違いによる事故が起きる。
この事故は少ないが，起きると大事故になることが多い，それはブレーキは踏み込むと抵抗が大きくなり途中で止まるが，アクセルは踏み込むと床に当たるまで止まらない，このため間違ってブレーキのつもりで，アクセルを踏むと，いきなりエンジンが唸り急発進してしまう，後が無い場所で止めるつもりが急発進しては，事故は免れない。
【課題を解決するための手段】
【０００２】アクセルペタルと床の間に，バック事故防止装置を取付ける，またシフトレバーのバックＲの位置にスイッチを取付け，シフトレバーがバックＲに入ると，スイッチがＯＮになり，ストッパーが起きてアクセルの踏み込みを制限して，急発進しないようにした。
【考案を実施するための最良の形態】
【０００３】この考案は，ブレーキとアクセルの踏み違いよる事故を防ぐために，なされたもので，それを図面について説明すれば，バック事故防止装置の本体１にストッパー２を設け，本体とストッパーを蝶番３でつなぎ，スプリング４によってストッパーが倒れる。
シフトレバー１１がバックＲに入るとスイッチ９がＯＮになりモーター５が回ると，おもり６も回りその遠心力でロッド７，ワイヤー８，と繋がっているストッパーが起きる。
【実施例】
【０００４】ストッパーによるアクセルの踏み込みの制限は，約１３００ｒｐｍ，これは急発進せず，且つノロノロしない回転数である。
また，急な坂道などアクセルを深く踏む時は，スイッチ１０をＯＦＦにして，ストッパーを倒しアクセルを開放する。
【考案の効果】
【０００５】バックして車を止めようと，ブレーキを踏み込んだつもりが，間違ってアクセルを踏み込んでも，ストッパーによってアクセルの踏み込みが制限され急発進しない，ペタルがストッパーに当たった瞬間，間違いに気づき，とっさに踏み直すことができ，事故を防ぐことができる。
【図面の簡単な説明】
【０００６】
【図１】  スイッチ９がＯＦＦの時ストッパーが倒れた説明図である。
【図２】  スイッチ９がＯＮの時ストッパーが起きた説明図である。
【図３】  アクセルと床の間に取り付けたバック事故防止装置の斜視図である。
【図４】  バック事故防止装置の右側面図とアクセルの制限された位置Ａと解除された位置Ｂを示す説明図である。
【符号の説明】
【０００７】１    バック事故防止装置本体
２    ストッパー
３    蝶番
４    スプリング
５    モーター
６    おもり
７    ロッド
８    ワイヤー
９    スイッチ
１０  スイッチ
１１  シフトレバー
１２  アクセル
１３  ブレーキ
Ａ    アクセルがストッパーに当たり制限された位置である。
Ｂ    ストッパーが倒れアクセルが床まで踏み込める位置である。
【図１】
0003101246.tif 000003
【図２】
0003101246.tif 000004
【図３】
0003101246.tif 000005
【図４】
0003101246.tif 000006
(57)【要約】
【課題】従来の都市排水設備は想定された以上の豪雨発生時に対応できず、地下道・駅構内等に排水能力を超えた雨水があふれ、浸水被害が発生するケースが多発している。また無機質な印象を与え都市景観に対し悪影響をおよぼすだけでなく、用水路等は子供・お年よりの転落等安全性にも問題があった。本件発明はこうした問題を解決する比較的安価な手法として、集中豪雨時の雨水一時貯水槽としての機能を付加した排水路を都市景観および歩行者の安全を損なわず提供することを解決課題とするものである。なお、付加的な用途として、渇水対策の雨水備蓄槽としての機能も考慮した。
【解決手段】都市空間に安らぎをもたらず“せせらぎ”的流水としての第１層、通常の排水用水路としての第２層、都市型洪水対策として豪雨時の雨水を一時貯留する槽としての第３層の三層構造を特徴とする多目的用水路を設置することにより上記課題の解決は達成される。
【選択図】  図１
0003101248.tif 000002
【実用新案登録請求の範囲】
【請求項１】
第１層を親水空間確保のための流水路、第２層を通常の雨水用水路、第３層を都市型洪水対策のための集中豪雨時雨水一時貯留槽及び、渇水時における雨水貯留槽とする３層構造の水路装置。
【考案の詳細な説明】
【技術分野】
【０００１】本発明は、通常時は都市居住環境に親水空間を提供する流水として機能しつつ、豪雨時には雨水を一時貯留し都市型洪水の防止、渇水時には雨水貯水槽として役立つ水路構造に関する。
【背景技術】
【０００２】洪水時において、開発が進んだ都市中心部では排水溝・下水等の整備により短時間で雨水を排水し水はけを良くするという手法がとられてきた。又農業用水路及び放水路も排水、下水と同じように下流域に早くながれる事を目的としてのみ利用されて来た。しかしながら、この手法では想定された以上の豪雨発生時に対応できず、地下道・駅構内等に排水能力を超えた雨水があふれ、浸水被害が発生するケースが多発している。【０００３】また従来型の水路・排水溝は無機質な印象を与え、都市景観に対しても悪影響を及ぼしている。【０００４】従来型の用水路は、子供が遊ぶことによる水の事故・お年よりの転落・増水時に車両が流される等安全面にも問題があった。
【考案が解決しようとする課題】
【０００５】本発明は上記のような状況を同時に解決する比較的安価な手法として、集中豪雨時の雨水一時貯水槽としての機能に渇水時に備えた雨水貯水槽としての利用価値も付加した排水路を都市景観および歩行者の安全を損なわず提供することを解決課題とするものである。
【課題を解決するための手段】
【０００６】都市空間に安らぎをもたらず“せせらぎ”的流水としての第１層、通常の雨水用水路としての第２層、都市型洪水対策として豪雨時の雨水を一時貯留槽もしくは渇水対策として水の備蓄槽としての第３層の三層構造を特徴とする多目的用水路を設置することにより上記課題の解決は達成される。
【考案の効果】
【０００７】歩行者の目に触れるのは水深２０ｃｍ程度の第１層だけであるため、駅のコンコース・アーケード街・地下道・マンション玄関・住居廻り等、集中豪雨時に雨水があふれやすい箇所に景観改善用水路として歩行者の安全に配慮しつつ多数設置する事ができる。
【０００８】また、第２層および第３層は第１層の地下に存在しているため、それぞれ単独で設置する場合に比べ、都市空間を有効に活用することができる。
【０００９】通常の降雨時には雨水は第２層に流れ、従来型の排水設備同様に速やかに下水に流れ処理される。
【００１０】集中豪雨時には第２層の排水能力を超えた雨水は第３層に貯水され、路面上・地下道上等への逆流は発生しない。
【００１１】第３層は渇水時の水資源備蓄槽としても利用可能である。
【図面の簡単な説明】
【００１３】
【図１】本考案の用水路の一様態を表す断面図
【符号の説明】
【００１４】１  親水緑地用水路（“せせらぎ”）
２  河川放水路、用水路、及び排水溝水路
３  地下遊水貯水槽
【図１】
0003101248.tif 000003
(57)【要約】
【課題】  名所旧跡の建造物に群がる無数の鳩が所嫌わず脱糞を行い、かたや高層建築のマンションや家屋にまで巣を造って建物を占領し、洗濯物などあらゆるものを汚染する有様であって、異常とも言える繁殖により人間の居住環境を著しく悪化させている現状は否めない。
このような鳩の害は単に環境汚染だけの問題でなく、人間と鳥獣共通の伝染病の蔓延すら危惧されることであり、少なくとも、人間が日常生活を行う場所および大勢が集まる場所や文化財を保護しなければならない場所には、鳩が近寄れない工夫が必要である。
【解決手段】  本考案は、鳩が巣寄る場所に飛来の障害となる構造の装置を配置し、鳩が自然に忌み嫌う環境を作るため、とげや針葉樹を敬遠する習性を利用した器具を装置として、むやみに巣造りをしたり飛来して人間の日常生活を脅かすことができない構造物を考案し、これを問題のある場所に設置して環境汚染防止の促進と糞害などによる衛生上の危惧を排除し、これらの課題を解決する。
【選択図】    図  １【実用新案登録請求の範囲】
【請求項１】
図１の如き形状を成し、一連のベース上に松葉に類似した無数の突起物を配し、鳩が建物に巣寄って美観を損ねたり脱糞による汚染が著しい場所など鳩が飛来することが不都合な場所に、鳩が止まれないことを目的として設置するための、ベース１を以て設置が可能であり突起物２と一体構造の合成樹脂を材料とする鳩の排除装置。
【考案の詳細な説明】
【技術分野】
【０００１】  従来、鳥類を排除する器具や装置として用いられるものには、光るものや動く器具や音を出すもので脅して近寄らないようにするものも多く、高度なものでは超音波を利用した装置などが一般に用いられている。【０００２】  しかし、いずれも鳥類が慣れてしまえば効果が少ないものが多く、鳩だけでなく他の鳥類を対象とする駆除装置や追い払う装置も研究し実施されている例も多い。【０００３】  本考案は、鳩を対象として簡便にして効果の大きい排除装置の分野に属する。
【背景技術】
【０００４】  文化財などを擁する名所旧跡の建物を保護するため、立派な彫刻や建築の様式が参考になる場所などを金網で囲んで、鳩の飛来や巣造りを防ぐ方策が用いられている。【０００５】  また、一般には住居のベランダ等に鳩が近寄らないように、絵を描いた風船が風で動く装置や鐘の音などで脅かしたり、飛来した鳩を追い払う方策を中心とした器具や装置に頼っているが、いずれも決定的な効果を得ない。
【考案の開示】
【考案が解決しようとする課題】
【０００６】  鳩は人間に馴れ馴れしく近寄り、性格がおとなしいことから何故か平和の象徴とされて、人間が鳩に危害を加えることが少ないためか、近年、人の集まる場所や名所旧跡で異常なまでに繁殖し、ひいては民家の軒先や高層建築のマンションなどにたむろし、住居や洗濯物を汚染するなど少なからず人間の日常生活に支障を与える場合が多い。【０００７】  すなはち、鳩の糞や脱毛と飛来時や離陸の際の塵埃などは、人間の居住する場所や人の集まる場所などで、人間にお構いなしに勝手に撒き散らすため、非常に不衛生である。【０００８】  元来、人間と鳥獣共有の伝染病があって、鳩も同様に危惧すべき鳥類で有るにもかかわらず、人間に最も接近して日常を過ごしていることは、警戒に値することである。【０００９】  鳩も動物愛護の精神からむやみに殺傷することは法に抵触することであり、できる限り人の住居や人の集まる場所から、自然の状態で排除しなければならないものである。
【課題を解決するための手段】
【００１０】  本考案は、これらの課題を解決するため、鳩に松などの針葉樹やとげを避ける習性があり、他の鳥類も少なからず脇腹に異物を抱えることを嫌う習性があることを利用する。【００１１】  従って、鳩が飛来しても居心地が悪くて着地できないように、鳩の脇腹に達するような松葉の如きとげのような形態をし、柔軟な材質で出来た無数の突起物を配した装置を鳩が飛来する場所に設置することとする。【００１２】  本考案は、鳩を排除する方法として、構造上、取り付け自在なベースに松葉に類似したとげ状の突起物を無数に添設して一体化した装置を以て、鳩が常時飛来する場所や飛来されては不都合な場所に配置して取り付けておくこととする。
【考案の効果】
【００１３】  本考案は、以上述べた如き課題を解決するための手段に従って、実施するための最良の状態に構成されているので、以下に記載されるような効果を奏する。【００１４】  本考案は、以上述べた如き器具をマンションのベランダその他の、従来、鳩が飛来しては困る場所に配置して取り付ける実験をくり返したところ、確実に鳩が飛来しなくなり、その状態が継続する。【００１５】  従って、従来、鳩の排便などで汚染されていた場所は清潔が保たれるようになり、洗濯物や生活用品が汚染されていた状況が改善される。【００１６】  また、本考案における松葉状の突起物は柔軟な材質であるから、住居のベランダ等に固着して用に供した場合も、誤って触れたり握ったときに、衣服を損傷したり人体を傷つけることがない。【００１７】  本考案の装置を用いることにより、従来、鳩を排除するため金網で囲んだりして、見学不可能や清掃不可能であった文化財の建物をよみがえらせるなど、全般的に美観を損なわない方法となる。【００１８】  本考案による装置を、神社仏閣および人の集まる場所や、鳩に飛来されては不都合な場所に設置することにより、糞公害だと言われてきた現状が改善され、人間と鳥獣共有の伝染病の根本的な防止に役立つこと顕著である。
【考案を実施するための最良の形態】
【００１９】  考案を実施するための最良の形態を実施例にもとづき図面を参照して説明する。
【実施例】
【００２０】  図１において、装置の歪曲自在なベース１に長さ１０センチメートルぐらいの松葉状の形状をした突起物２を２センチメートルぐらいの間隔で無数に添設して一体化する。【００２１】  図２において、突起物２が直立するようにベランダの欄干など建物の構造物３に、ベース１を取り付け器具４で固着する。【００２２】  図１における、ベース１と突起物２の一体化は、材質をプラスチックなどの合成樹脂とし、金型を使って射出成型により製造ができる。
【産業上の利用可能性】
【００２３】  鳩は日本国中いたるところに生息し、人間との関わりは無限であるが、前述の如き問題を有し、できれば自然に鳩を排除できることは究極のことである。【００２４】  従って、鳩による不都合を除きたい願望は、人の行動するあらゆるところに存在するため、鳩が嫌う突起物を配した本考案の装置は簡便かつ廉価であり、早急に普及する可能性を有し、産業上利用の可能性は大きい。【００２５】  また、本考案の装置は大量生産が可能であって生産性が高いものである。
【図面の簡単な説明】
【００２６】
【図１】  本考案の鳩の排除装置の外観の斜視図である。
【図２】  本考案の鳩の排除装置を建物の欄干等の建造物に取り付けた状態を示す見取図である。
【符号の説明】
【００２７】    １．鳩の排除装置のベース。
２．松葉状の形状をした突起物。
３．建物の欄干等の建造物。
４．ベースの取り付け器具。
【図１】
0003101247.tif 000002
【図２】
0003101247.tif 000003
(57)【要約】
【課題】  映画試写会・遊園地などの招待はがきや企業の製品発表会案内・展示会案内などのはがきは、宣伝と広報を含むプロモーション機能がないという欠点があった。そこで、従来の機能に宣伝と広報効果の増大、販促費用の節減、サービスの向上を可能にする機能を加えることを課題とするものである。
【解決手段】  本考案はシール機能とはがき機能を一体化することにより課題を解決する。映画試写会や遊園地などの広報画像・写真をシールの形にしてはがき裏面に貼付ける。はがきは招待券や、クーポン券、割引券などに使用できるようにする。また、さまざまな企業の製品発表会、イベントなどの注目写真をシールにしてはがき裏面に貼付け、はがき面には製品発表会・イベントの内容などを印刷する。シール部分は顧客が利用または保存するものである。このシール機能とはがき機能を一体化したプロモーション用シールはがきで顧客にアピールすることにより、前述の課題を解決することができる。
【選択図】図３
0003101230.tif 000002
【実用新案登録請求の範囲】
【請求項１】
企業・団体の広報やイベント企画と案内画像・写真、または映画試写会や遊園地招待券、展示会の入場券、製品発表会に関連する画像・写真などを印刷したシールとこの内容に関する説明文、あるいは商品クーポン券、商品の割引券やプレゼント引換券として活用できるはがきを一体化にしたプロモーション用シールはがき。
【考案の詳細な説明】
【技術分野】
【０００１】  本考案は、映画試写会、遊園地などの宣伝・広報や企業の製品発表会案内、商品販売の促進などに役立つプロモーション用シールはがきに関するものである。
【背景技術】
【０００２】  従来の映画試写会、遊園地などの招待券や入場券は印刷のみであるため、回収されてしまうと招待券や入場券としてしか機能しなかった。また企業の製品発表会などの案内はがきも同様に単なる案内状の機能しかもっていない。このため、宣伝と広報を含むプロモーションや顧客に対するサービスは他の媒体に依存するしかなかった。シールも企業のロゴや、記号、遊びのキャラクターなどに限られ即戦力に欠けている。
【考案の開示】
【考案が解決しようとする課題】
【０００３】  映画試写会・遊園地などの招待はがきや企業の製品発表会案内・展示会案内などのはがきは、宣伝と広報を含むプロモーション機能がないという欠点があった。そこで、従来の機能に宣伝と広報効果の増大、販促費用の節減、サービスの向上を可能にする機能を加えることを課題とするものである。
【課題を解決するための手段】
【０００４】  本考案はシール機能とはがき機能を一体化することにより課題を解決する。映画試写会や遊園地などの広報画像・写真をシールの形にしてはがき裏面に貼付ける。
はがきは招待券や、クーポン券、割引券などに使用できるようにする。また、さまざまな企業の製品発表会、イベントなどの注目写真をシールにしてはがき裏面に貼付け、はがき面には製品発表会・イベントの内容などを印刷する。シール部分は顧客が利用または保存するものである。このシール機能とはがき機能を一体化したプロモーション用シールはがきで顧客にアピールすることにより、前述の課題を解決することができる。
【考案の効果】
【０００５】  上述の様に、本考案のプロモーション用シールはがきは、受け取った顧客が映画試写会、製品発表会、展示会、遊園地などの魅力的な広報画像・写真をシールとして保存することができ、企業プロモーション効果をより増大させる。またプロモーション費用が他の媒体より安価であるところから、さまざまな分野で新しいプロモーション媒体として幅広く活用できる。
【考案を実施するための最良の形態】
【０００６】  映画試写会、製品発表会、展示会や遊園地などの広報画像・写真を印刷したシールを剥がすと、それに関連する情報・内容がはがき裏面に現れる。
【実施例】
【０００７】  以下、添付図面に従って実施例を説明する。図１は、本考案のプロモーションシールはがきの断面図（１：プロモーション画像や写真、文字を印刷するシール面、２：粘着剤３：プロモーション企画内容の説明を印刷するはがき裏面、４：郵便番号、切手部分を印刷するはがき表面）である。図２は、映画試写会、製品発表会、展示会、遊園地などに関連する広報映像・写真を印刷したシール部分（１ａ，１ｂ：プロモーション用画像や写真、１ｃ，１ｄ：プロモーション表現文字、１ｅ，１ｆ：シール切り取り線、２ａ，２ｂ，２ｃ：粘着剤）である。図３は、シール部分を剥がしたプロモーション用シールはがきの斜視図（３：プロモーション用シールはがき裏面、５：広報映像・写真を切り取った部分、６プロモーション内容の説明文）である。図４は、映画試写会、製品表会、展示会、イベント企画などの内容についての説明を印刷したはがきの裏面（３：プロモーション用シールはがき裏面、６プロモーション内容の説明文）である。図５は、郵便番号、切手部分を印刷するはがき表面（４：プロモーション用シールはがき表面、７：切手を貼る部分、８：郵便番号）である。
【図面の簡単な説明】
【０００８】
【図１】本考案の使用状態を示す断面図である。
【図２】本考案のプロモーション用シールはがきのシール面である。
【図３】本考案のプロモーション用シールはがきの斜視図である。
【図４】本考案のプロモーション用シールはがきの裏面である。
【図５】本考案のプロモーション用シールはがきの表面である。
【符号の説明】
【０００９】  １  シール部分
１ａ，１ｂ  プロモーション用画像や写真
１ｃ，１ｄ  プロモーション表現文字
１ｅ，１ｆ  シール切り取り線
２  シール粘着剤
２ａ，２ｂ，２ｃ  粘着剤
３  プロモーション用シールはがき裏面
４  プロモーション用シールはがき表面
５  広報映像・写真を切り取った部分
６  プロモーション内容の説明文
７  切手
８  郵便番号
【図１】
0003101230.tif 000003
【図２】
0003101230.tif 000004
【図３】
0003101230.tif 000005
【図４】
0003101230.tif 000006
【図５】
0003101230.tif 000007